【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
流体マニホールドシステムにおいて、
対向する可撓性シートの少なくとも一部を相互に溶接してそれらの間に流路を形成したものを含み、流体入口が前記流体流路と連通する第一のマニホールドと、
前記第一のマニホールドの前記流体流路と流体連通し、各々が隔室を形成する複数の受容容器と、
を備えることを特徴とする流体マニホールドシステム。
【請求項２】
前記流体流路は、
前記第一のマニホールドの前記流体入口と連通する第一の流路と、
前記第一の流路から分岐し、各々が前記複数の受容容器のうちの対応する１つと流体連通する、離間された複数の第二の流路と、
を備えることを特徴とする請求項１に記載の流体マニホールドシステム。
【請求項３】
前記対向する可撓性シートは、
内面を有する第一の可撓性シートと、
内面を有する第二の可撓性シートと、
を含み、
前記第二の可撓性シートの前記内面は、前記第一の可撓性シートの前記内面と直接接触した状態にあり、前記内面が一体に固定されて、それらの間に前記流路が形成されることを特徴とする請求項１に記載のマニホールドシステム。
【請求項４】
前記第一の可撓性シートの外面の上に載り、これに固定された第三の可撓性シートと、
前記第二の可撓性シートの外面の上に載り、これに固定された第四の可撓性シートと、
をさらに備えることを特徴とする請求項３に記載の流体マニホールドシステム。
【請求項５】
前記対向する可撓性シートは、１枚の可撓性シートを折り畳んでできた２つの部分からなることを特徴とする請求項１に記載の流体マニホールドシステム。
【請求項６】
各受容容器は、可撓性の袋からなることを特徴とする請求項１に記載の流体マニホールドシステム。
【請求項７】
前記第一のマニホールドから分離される複数の可撓性の袋からなる前記複数の受容容器と、
前記流路から前記可撓性の袋のうちのそれに対応するものへと流体連通状態で延びる複数の管状コネクタと、
をさらに備えることを特徴とする請求項１に記載の流体マニホールドシステム。
【請求項８】
各管状コネクタは、前記流体流路と流体連通する第一のマニホールドに固定された管状出口コネクタと、対応する可撓性の袋に固定された管状入口カプラと、を備え、
前記出口カプラは、前記入口カプラに固定されることを特徴とする請求項７に記載の流体マニホールドシステム。
【請求項９】
可撓性の袋の各々は、流体出口を有することを特徴とする請求項７に記載の流体マニホールドシステム。
【請求項１０】
前記第一のマニホールドと前記複数の受容容器は、密閉されて滅菌されることを特徴とする請求項１に記載の流体マニホールドシステム。
【請求項１１】
前記第一のマニホールドは、相互に溶接されてそれらの間に流体流路が形成される、対向する可撓性シートの第一の部分を含み、
前記複数の受容容器は、前記受容容器を形成するように相互に溶接される、同様の連続する、前記対向する可撓性シートの第二の部分を含み、
前記受容容器は第一のマニホールドと一体であり、前記受容容器の前記隔室は、前記対向する可撓性シート間に形成されることを特徴とする請求項１に記載の流体マニホールドシステム。
【請求項１２】
前記対向する可撓性シートは、前記第一のマニホールドの前記流体流路と前記受容容器の各々の前記隔室との間の流体連通部を形成することを特徴とする請求項１１に記載の流体マニホールドシステム。
【請求項１３】
前記対向する可撓性シートを貫通し、前記複数の受容容器間を分離しやすくするミシン目をさらに備えることを特徴とする請求項１１に記載の流体マニホールドシステム。
【請求項１４】
流体流路と流体連通する流体出口を有する前記第一のマニホールドと、
相互に溶接されて、これらの間に流体流路が形成される、対向する可撓性シートの少なくとも一部からなる第二のマニホールドと、
をさらに備え、
前記第二のマニホールドは、前記第一のマニホールドの前記流体出口に連結された流体入口を有することを特徴とする請求項１に記載の流体マニホールドシステム。
【請求項１５】
各受容容器は別の受容容器アセンブリの一部を含み、各受容容器アセンブリは２枚の対向する可撓性シートを含み、これらは前記第一のマニホールドから分離され、かつ相互に溶接されて、各々が前記対向する可撓性シートの間にそれぞれの隔室を有する別の複数の受容容器を形成し、各受容容器アセンブリは、前記複数の受容容器の各々と連通する流体流路を含むことを特徴とする請求項１に記載の流体マニホールドシステム。
【請求項１６】
流体を分注する方法において、
マニホールドを流体源に連結するステップであって、前記マニホールドは、対向する可撓性シートの少なくとも一部を含み、前記対向する可撓性シートは、相互に溶接されて、それらの間に流体流路が形成される、ステップと、
前記流体源からの流体を、前記マニホールドの前記流体流路を通って、前記マニホールドに連結された複数の可撓性の袋の中へと流すステップと、
前記可撓性の袋の各々を密閉するステップと、
密閉された各袋を前記マニホールドから切り離すステップと、
を含むことを特徴とする方法。
【請求項１７】
前記マニホールドの長さの少なくとも一部に沿って前記流体流路を徐々に潰し、前記流体流路内の前記流体の一部を前記可撓性の袋のうちの１つへと押し出すステップをさらに含むことを特徴とする請求項１６に記載の方法。
【請求項１８】
前記可撓性の袋の各々は、相互に溶接されて、隔室が形成される２枚の対向する可撓性シートを含み、前記可撓性の袋の各々を密閉する前記ステップは、可撓性の袋の各々の前記対向するシートを相互に溶接して、可撓性の袋の各々への流体流路を密閉するステップを含むことを特徴とする請求項１６に記載の方法。
【請求項１９】
密閉された各袋を切り離す前記ステップは、前記対向する可撓性シートを、前記対向する可撓性シートを貫通するミシン目に沿って破くステップを含むことを特徴とする請求項１６に記載の方法。
【請求項２０】
前記マニホールドの前記流体流路を、第一の位置においてつまんで閉じて、前記流体を前記可撓性の袋のうちの第一のものへと流すステップと、
前記マニホールドの前記流体流路を、前記第一の位置から離れた第二の位置においてつまんで閉じて、前記流体を前記可撓性の袋のうちの第二のものへと流すステップと、
をさらに含むことを特徴とする請求項１６に記載の方法。
【請求項２１】
流体を分注するためのマニホールドの製造方法において、
第一の可撓性シートを第二の可撓性シートの上に位置付けるステップと、
前記第一の可撓性背シートを前記第二の可撓性シートに溶接して、それらの間に流体流路を形成するステップであって、前記流体流路は、流体入口と連通する第一の流路と、前記第一の流路から分岐する、離間された複数の第二の流路と、を含む、ステップと、
を含むことを特徴とする方法。
【請求項２２】
複数の受容容器を前記第一と第二の可撓性シートに固定して、各受容容器が前記第二の流路のうちの、それに対応する１つと流体連通するようにするステップをさらに含むことを特徴とする請求項２１に記載の方法。
【請求項２３】
無菌生物学的流体を充填袋に分注するためのマニホールドにおいて、
前記マニホールドは、相互に溶接されて、それらの間に流体流路が形成される、対向する可撓性シートを含み、前記流路は、流体入口から、離間された複数の流体出口へと延びることを特徴とするマニホールド。
【請求項２４】
前記流体流路は、
前記流路と連通する第一の流路と、
前記第一の流路から分岐する、離間された複数の第二の流路であって、各々が前記離間された複数の流体出口のうちの、それに対応する１つと連通する第二の流路と
を含むことを特徴とする請求項２３に記載のマニホールド。
【請求項２５】
前記離間された複数の流体出口は、少なくとも６つの流体出口からなることを特徴とする請求項２３に記載のマニホールド。
【請求項２６】
前記対向する可撓性シートは、１枚の可撓性シートを折り畳んでできた２つの部分を含むことを特徴とする請求項２３に記載の流体マニホールド。
【請求項２７】
複数の出口カプラをさらに備え、各出口カプラは、前記流体出口のうちの、それに対応する１つにおいて前記対向する可撓性シートに取り付けられることを特徴とする請求項２３に記載のマニホールド。
【請求項２８】
各受容容器は、各々の前記隔室に連通する管状容器をさらに含み、各管状容器は、前記流体流路から間隔があけられていることを特徴とする請求項１に記載の流体マニホールドシステム。
【請求項２９】
各管状容器は、ポートまたは管を含むことを特徴とする請求項２８に記載の流体マニホールドシステム。